(57)【特許請求の範囲】
【請求項１】
流通口を有するベース面と、挿入口を有する側面とを備えるケーシングと、
枠体と、枠体内部に配置された濾材と、前記枠体の開口の周縁部に取り付けられるガスケットとを備え、前記挿入口から挿入されて前記ベース面上に配置されるフィルタユニットと、
前記ケーシング内部に配置され、前記フィルタユニットの挿入方向に延在する一対の案内部と、
前記フィルタユニットに取り付けられ、それぞれが前記案内部の上を移動することにより、前記フィルタユニットを前記ケーシング内部に挿入させる一対のスライダとを備え、
前記案内部それぞれには、終端側で高さが低くされて形成された第１の凹部と、前記第１の凹部よりも始端側において高さが低くされて形成された第２の凹部とが設けられるとともに、前記各スライダは、それぞれ前記案内部上を摺動する第１及び第２の摺動部を含み、
前記フィルタユニットは、前記第１及び第２の摺動部が前記第１及び第２の凹部それぞれの内部に配置されると、前記開口が前記流通口に対向しかつ前記ガスケットが前記ベース面の流通口の周縁部に接触できるように配置されることを特徴とするフィルタ装置。
【請求項２】
前記第１の摺動部は、前記案内部上を摺動するときに前記第２の凹部内部に進入して係止されないように、前記挿入方向において前記第２の凹部の開口よりも長くなる部材を備えることを特徴とする請求項１に記載のフィルタ装置。
【請求項３】
前記第１の凹部は、前記挿入方向において、前記第２の凹部よりも開口が大きいことを特徴とする請求項２に記載のフィルタ装置。
【請求項４】
前記第１及び第２の凹部の少なくとも一方は、底辺部と、前記底辺部の始端側の端部に鈍角で接続される側辺部とを備え、前記底辺部から開口に向かうに従って幅広となる形状を有することを特徴とする請求項１に記載のフィルタ装置。
【請求項５】
前記第１及び第２の摺動部のうち少なくとも一方は、底面部と、前記底面部の始端側の端部に鈍角で接続される傾斜面部とを備え、前記第１又は第２の凹部に対応した形状を有することを特徴とする請求項４に記載のフィルタ装置。
【請求項６】
前記第１及び第２の凹部はいずれも、底辺部と、前記底辺部の両端に接続される一対の側辺部とを備え、上方が開口したものであるとともに、前記第１及び第２の摺動部は前記第１及び第２の凹部に対応した形状を有することを特徴とする請求項１に記載のフィルタ装置。
【発明の詳細な説明】
【技術分野】
【０００１】
本発明は、例えば縦型の排気ユニット等のケーシングに、フィルタユニットが挿入されて構成されるフィルタ装置に関する。
【背景技術】
【０００２】
フィルタユニットは、空気が下から上に流通される縦型の排気ユニットでは、排気ユニットの側面に設けられた挿入口から、水平方向に挿入されて排気ユニット内部に設置されるのが一般的である。例えば、縦型の排気ユニット内部には、流通口を備えるベース面が設けられており、フィルタユニットは、そのベース面上にガスケットを介して載置される。ガスケットは、汚染空気がフィルタユニットとベース面の間の隙間から漏洩するのを防止する。
【０００３】
ここでフィルタユニットは、特許文献１に開示されるように、終端の高さが他の部分より低くされたガイドレールに案内されて、排気ユニット内部に挿入されることが知られている。このような構成では、フィルタユニットは、ガスケットをベース面に対して浮かした状態で挿入される一方で、レール終端まで進むと下降して、ガスケットをベース面に接触させることが可能になる。
【０００４】
したがって、ガスケットは、フィルタ挿入中にベース面に擦れて破損することが防止されるとともに、挿入が完了するとベース面に確実に押し付けられ、気密性が確保されやすくなる。さらに、ガスケットは、フィルタの上流側に配置されることになるので、使用により破損したとしても、その破損により発生した塵埃等が、下流側の清浄空気に混入しにくくなる。
【先行技術文献】
【特許文献】
【０００５】
【特許文献１】特開２００８−７３５６８号公報
【発明の概要】
【発明が解決しようとする課題】
【０００６】
しかし、特許文献１の構成では、フィルタユニットは、ケーシング内部に挿入されるとき、特定の部材によって位置決めされているわけではないため、ベース面上の所望の位置からずれて設置されることがある。このような位置ずれが生じると、例えばガスケットが流通口の上に配置され、気密性が確保できなくなる場合がある。また、各ガイドレールに摺動する摺動部材は１つのみであるので、フィルタユニットは、安定して移動するのが難しいという問題もある。
【０００７】
そこで、本発明は、以上の問題点に鑑みてなされたものであり、フィルタユニットをケーシング内部に安定して挿入できるようにし、また、挿入されたフィルタユニットに位置ずれが生じにくいフィルタ装置を提供することを目的とする。
【課題を解決するための手段】
【０００８】
本発明に係るフィルタ装置は、流通口を有するベース面と、挿入口を有する側面とを備えるケーシングと；枠体と、枠体内部に配置された濾材と、枠体の開口の周縁部に取り付けられるガスケットとを備え、上記挿入口から挿入されてケーシングのベース面上に配置されるフィルタユニットと；ケーシング内部に配置され、フィルタユニットの挿入方向に延在する一対の案内部と；フィルタユニットに取り付けられ、それぞれが案内部の上を移動することにより、フィルタユニットをケーシング内部に挿入させる一対のスライダとを備え、案内部それぞれには、終端側で高さが低くされて形成された第１の凹部と、第１の凹部よりも始端側において高さが低くされて形成された第２の凹部とが設けられるとともに、各スライダは、それぞれ案内部上を摺動する第１及び第２の摺動部を含み、フィルタユニットは、第１及び第２の摺動部が第１及び第２の凹部それぞれの内部に配置されると、開口が流通口に対向しかつガスケットがベース面の流通口の周縁部に接触できるように配置されることを特徴とする。
【０００９】
第１の摺動部は、案内部上を摺動するときに第２の凹部内部に進入して係止されないように、挿入方向において第２の凹部の開口よりも長い部材を有することが好ましい。また、第１の凹部は、挿入方向において、第２の凹部よりも開口が大きいことが好ましい。
【００１０】
第１及び第２の凹部の少なくとも一方は、例えば、底辺部と、底辺部の始端側の端部に鈍角で接続される側辺部とを備え、底辺部から開口に向かうに従って幅広となる形状を有する。第１及び第２の摺動部のうち少なくとも一方は、例えば、底面部と、底面部の始端側の端部に鈍角で接続される傾斜面部とを備え、第１又は第２の凹部に対応した形状を有する。
【００１１】
第１及び第２の凹部はいずれも、底辺部と、底辺部の両端に接続される一対の側辺部とを備え、上方が開口したものであるとともに、第１及び第２の摺動部は第１及び第２の凹部に対応した形状を有することが好ましい。
【発明の効果】
【００１２】
本発明では、各案内部に２つの凹部が設けられるとともに、それに対応して２つの摺動部が設けられるため、フィルタユニットが、ケーシング内部に安定して挿入されやすく、また、挿入されたフィルタユニットに位置ずれが生じにくくなる。
【図面の簡単な説明】
【００１３】
【図１】本発明の第１の実施形態に係るフィルタ装置を示す斜視図である。
【図２】第１の実施形態における案内部とスライダを示す拡大斜視図である。
【図３】第１の実施形態において、フィルタユニットが、ケーシング内部に挿入されるときの様子を示す斜視図である。
【図４】第１の実施形態において、フィルタユニットが、ケーシング内部に配置されたときの様子を示す斜視図である。
【図５】第２の実施形態における案内部とスライダを示す拡大斜視図である。
【図６】第２の実施形態において、フィルタユニットが、ケーシング内部に配置されたときの様子を示す斜視図である。
【発明を実施するための形態】
【００１４】
以下、本発明の実施形態について、図面を参照にしつつ詳細に説明する。
図１〜４は、本発明の第１の実施形態に係るエアフィルタ装置を示す斜視図である。
【００１５】
本発明の第１の実施形態に係るエアフィルタ装置は、下から上に空気が流通される縦型の排気ユニットに設けられる。図１に示すように、縦型の排気ユニットは、フィルタユニット１０が内部に収納されるケーシング１１を備える。ケーシング１１は、流通口１２が設けられたベース面１３と、挿入口１５が設けられた側面１４とを備え、フィルタユニット１０は、挿入口１５からケーシング１１の内部に水平方向に挿入され、ベース面１３上に配置される。
【００１６】
フィルタユニット１０は、四角形枠形の枠体２１と、枠体２１の内部に配置された濾材２２とを備える。濾材２２は、例えばろ紙等のシート状濾材がひだ状に折り畳まれてブロック状にされたものである。また、枠体２１の一方の開口の周縁部には、開口を取り巻くように、四角枠形のガスケット２３が取り付けられる。
【００１７】
ベース面１３の流通口１２は、四角形の開口であって、その流通口１２を通った空気が、フィルタユニット１０で浄化されて、フィルタユニット１０の上方に送られる。流通口１２の縁部は、挿入方向に対して略垂直となる辺部１２Ａ、１２Ｂと、挿入方向に対して略平行となる辺部１２Ｃ、１２Ｄによって構成される。フィルタユニット１０は、辺部１２Ａから辺部１２Ｂに向かって、ケーシング１１の内部に挿入される。
【００１８】
ケーシング１１内部には、一対のレール部材４０、４０が設けられ、これらレール部材４０、４０は、フィルタユニット１０の挿入をガイドする案内部を構成する。レール部材４０、４０は、ベース面１３の対向する辺部１２Ｃ、１２Ｄの外縁それぞれに取り付けられ、流通口１２を挟み込むように配置される。そして、レール部材４０、４０は、フィルタユニット１０の挿入方向に延在する。
【００１９】
枠体２１は、挿入方向に略平行となり、かつ互いに対向する側面２１Ａ、２１Ｂと、挿入方向に略垂直で、それぞれ挿入方向の手前側及び奥側に配置される側面２１Ｃ、２１Ｄによって構成される。側面２１Ａ、２１Ｂそれぞれには、前方スライド部３１及び後方スライド部３２から成るスライダ３０が設けられる。スライダ３０、３０はそれぞれ、一対のレール部材４０、４０それぞれの上を摺動することにより、フィルタユニット１０をケーシング１１内部に挿入させる。また、側面２１Ｃには、取手２８が取り付けられる。
【００２０】
ベース面１３の奥側の辺部１２Ｂの外縁には、ストッパ５０が取り付けられる。ストッパ５０は、板部材が断面Ｌ字形に折り曲げられた形状を有し、ベース面１３に固定される底板部５１と、底板部５１から立設し、かつ挿入方向に略垂直となる規制板部５２とを備える。規制板部５２は、ケーシング１１内部に挿入されたフィルタユニット１０の奥側への移動を規制する。
【００２１】
レール部材４０、４０それぞれは、細長の板部材が断面Ｌ字形に折り曲げられた形状を有しており、ベース面１３に取り付けられる底板部４１と、底板部４１から立設するレール板部４２とを備える。レール板部４２は、挿入方向に平行で、かつベース面１３に対して垂直に配置される。レール板部４２は、レール部材４０の終端側において、部分的に高さが低くされており、第１の凹部４３が形成されるとともに、その第１の凹部４３よりもレール４０の始端側においても部分的に高さが低くなっており、第２の凹部４４が設けられる。
【００２２】
前方及び後方スライド部３１、３２それぞれは、第１及び第２の凹部４３、４４それぞれに対応した位置に配置される。すなわち、側面２１Ａ、２１Ｂそれぞれにおいて、前方スライド部３１は、フィルタユニット１０の挿入方向における中央位置よりも奥側に、後方スライド部３２は手前側に配置される。
【００２３】
図２に示すように、第１の凹部４３は、挿入方向に延在する底辺部４３Ａと、その底辺部４３Ａの両端に鈍角に接続される両側辺部４３Ｂ、４３Ｃを備え、上方の開口に向けて幅が広がる等脚台形状になる。第２の凹部４４も同様に、底辺部４４Ａ、両側辺部４４Ｂ、４４Ｃを備え、上方の開口に向けて幅が広がる等脚台形状になる。第１の凹部４３の底辺部４３Ａは、第２の凹部４４の底辺部４４Ａの長さより長くなり、第１の凹部４３の開口幅（挿入方向に沿う開口の長さ）は、第２の凹部４４の開口幅よりも大きくなる。
【００２４】
各側面２１Ａ、２１Ｂに設けられた前方スライド部３１は、板部材がＬ字に折り曲げられた形状を呈し、側面２１Ａ（又は２１Ｂ）に取り付けられる取付板部３３と、側面２１Ａ（又は２１Ｂ）から垂直に突出するように配置される摺動板部（第１の摺動部）３４とを備える。摺動板部３４は、挿入方向に沿って長く延びるとともに、その長手方向における両端が上方に鈍角に折り曲げられ、舟形形状を有する。すなわち、摺動板部３４は、取付板部３３に垂直に連設される底面部３４Ａと、底面部３４Ａの長手方向における両端に、鈍角で連設される傾斜面部３４Ｂ、３４Ｃとから構成される。なお、底面部３４Ａは、摺動板部３４がレール部材４０上を移動するとき、そのレール板部４２の先端部に摺動する部分である。
【００２５】
摺動板部３４は、第１の凹部４３に嵌入するものであり、その形状は、第１の凹部４３に対応したものになる。具体的には、摺動板部３４の底面部３４Ａの長さは、第１の凹部４３の底辺部４３Ａの長さに略等しくなる。また、傾斜面部３４Ｂ、３４Ｃと底面部３４Ａの接続角度それぞれは、底辺部４３Ａと両側辺部４３Ｂ、４３Ｃの接続角度それぞれに略等しくなる。
【００２６】
後方スライド部３２は、前方スライド部３１と同様に、取付板部３７と摺動板部（第２の摺動部）３８とを備え、摺動板部３８は、第２の凹部４４に嵌入できるように、底面部３８Ａと、傾斜面部３８Ｂ、３８Ｃとを備える。底面部３８Ａの挿入方向における長さは、第２の凹部４４の底辺部４４Ａの長さに略等しくなるとともに、底面部３８Ａと傾斜面部３８Ｂ、３８Ｃとの接続角度それぞれが、底辺部４４Ａと側辺部４４Ｂ、４４Ｃの接続角度それぞれに略等しくなる。
【００２７】
上記したように、第１の凹部４３の底辺部４３Ａは、第２の凹部４４の底辺部４４Ａより長く、そのため、前方スライド部３１の底面部３４Ａの長さも、後方スライド部３２の底面部３８Ａの長さより長くなる。そして、前方スライド部３１の底面部３４Ａの挿入方向における長さは、第２の凹部４４の開口幅よりも長くなる。
【００２８】
本実施形態では、図３、４に示すように、フィルタユニット１０は、摺動板部３４、３８がレール板部４２、４２の上に載せられた状態で奥側に押され、ケーシング１１の内部に挿入される。このとき、ガスケット２３は、ベース面１３から浮いた状態となり、ベース面１３に擦れて破損されることが防止される。
【００２９】
また、摺動板部３４は、底面部３４Ａの挿入方向における長さが、第２の凹部４４の開口幅よりも長く、そのため、第２の凹部４４の内部に進入することはできない。これにより、摺動板部３４は、レール板部４２上を移動するとき、第２の凹部４４に係止されることなく、第２の凹部４４を超えて奥側に進むことになる。
【００３０】
一方、摺動板部３４は第１の凹部４３に、摺動板部３８は第２の凹部４４に対応した形状を有する。そのため、摺動板部３４、３８は、さらに奥側に移動させられると、図４に示すように、第１及び第２の凹部４３、４４の内部に進入しつつ下降し、これら凹部４３、４４に嵌入する。すなわち、摺動板部３４の底面部３４Ａは、第１の凹部４３の底辺部４３Ａ上に載せられ、かつ、傾斜面部３４Ｂ、３４Ｃそれぞれは、両側辺部４３Ｂ、４３Ｃに沿うように配置される。同様に、摺動板部３８についても、底面部３８Ａが底辺部４４Ａ上に載せられ、かつ、傾斜面部３８Ｂ、３８Ｃそれぞれが両側辺部４４Ｂ、４４Ｃに沿うように配置される（図２、４参照）。
【００３１】
摺動板部３４、３８が下降して凹部４３、４４に嵌入されると、フィルタユニット１０も、摺動板部３４、３８とともに下降する。そして、フィルタユニット１０は、一方の開口が流通口１２に対向し、かつガスケット２３が流通口１２の周縁部１２Ｅに接触するように配置される。また、枠体２１の側面２１Ｄはストッパ５０の規制板部５２に沿うように配置される。
【００３２】
本実施形態では、不図示の押さえ部材が、ケーシング１１内部において、挿入されたフィルタユニット１０の上方に配置される。押さえ部材は、カム機構を有し、回転してフィルタユニット１０を押さえ付けた状態で固定される。フィルタユニット１０は、押さえ部材によって、上方から押圧され、ガスケット２３を周縁部１２Ｅに押し付ける。
【００３３】
以上のように、本実施形態では、レール部材４０に２つの凹部４３、４４が設けられ、これら凹部４３、４４に摺動板部３４、３８が嵌入された状態で、ガスケット２３が流通口１２の周縁部１２Ｅに接触する。これにより、フィルタユニット１０の移動は、ガスケット２３が周縁部１２Ｅに接触した状態で、凹部４３、４４及び摺動板部３４、３８によって規制されるので、ガスケット２３が位置ずれして空気が漏洩されるのが防止される。
【００３４】
また、本実施形態では、各レール部材４０に２つの摺動部が摺動するので、フィルタユニット１０の移動は安定しやすくなる。さらに、摺動板部３４は、レール部材４０上を移動するとき第２の凹部４４に係止しないため、第２の凹部４４が設けられたことによって、フィルタユニット１０の挿入が阻害されることはない。
【００３５】
なお、摺動板部３４、３８は、その傾斜面部３４Ｂ、３８Ｂの挿入方向に対する傾斜角度が、側辺部４３Ｂ、４４Ｂの挿入方向に対する傾斜角度に等しい。したがって、摺動板部３４、３８は、凹部４３、４４内部に進入するとき、傾斜面部３４Ｂ、３８Ｂを側辺部４３Ｂ、４４Ｂに摺動させつつ斜め方向に下降する。そのため、フィルタユニット１０は、摺動板部３４、３８がレール部材４０の先端部上に摺動するときのみならず、凹部４３、４４内部に進入するときも、水平状態に維持される。
【００３６】
また、本実施形態では、ケーシング１１の内部からフィルタユニット１０が取り出される際、取手２８が引っ張られて、フィルタユニット１０が手前側に引き出される。この際、摺動板部３４、３８は、その傾斜面部３４Ｂ、３８Ｂが凹部４３、４４の側辺部４３Ｂ、４４Ｂに沿うように上昇して凹部４３、４４から出された後、レール板部４２上を始端側に移動させられる。そのため、フィルタユニット１０は、ガスケット２３がベース面１３から浮いた状態で、水平方向に引き出されるので、ケーシング１１から取り出される際もガスケット２３が擦れて損傷されることはない。
【００３７】
なお、第１の凹部４３及び摺動板部３４において、上記した下降・上昇時に摺動するのは、始端側の傾斜辺部４３Ｂ及び傾斜面部３４Ｂのみで、終端側の傾斜辺部４３Ｃ及び傾斜面部３４Ｃは摺動しない。したがって、凹部４３及び摺動板部３４において、始端側の傾斜辺部４３Ｂ及び傾斜面部３４Ｂのみが鈍角で底辺部４３Ａ及び底面部３４Ａに接続されていれば良く、終端側の傾斜辺部４３Ｃ及び傾斜面部３４Ｃは、鈍角で底辺部４３Ａや底面部３４Ａに接続されていなくても良い。第２の凹部４４及び摺動板部３８においても同様である。
【００３８】
図５は、本発明の第２の実施形態に係るレール部材と、スライダの構造を示すための部分拡大図である。本実施形態において、第１の実施形態と異なるのは、第１の凹部の構造のみである。以下、第２の実施形態について、第１の実施形態との相違点を説明する。なお、以下の説明において、第１の実施形態と同一の構成を有する部材について、同一の符号を付す。
【００３９】
図５に示すように、本実施形態におけるレール部材６０は、第１の実施形態と同様に、底板部６１と、レール板部６２とを有するものであるが、レール板部６２の終端部は、その高さが漸次低くなって傾斜部６３になる。そして、本実施形態では、傾斜部６３、及びベース１３面上のレール部材６０よりも奥側の部分６４は、レール板部６２の先端部より高さが低くなった部分となり、案内部の第１の凹部６５を構成する。なお、傾斜部６３とレール板部６２の先端部との接続角度は鈍角であるとともに、前方スライド部３１における傾斜面部３４Ｂと底面部３４Ａの接続角度より大きく、なだらかな傾斜となる。
【００４０】
図６に示すように、フィルタユニット１０がケーシング１１内部に挿入されると、第１の実施形態と同様に、摺動板部３４、３８は、第１及び第２の凹部６５、４４内部に配置され、ガスケット２３は周縁部１２Ｅに接触する。
【００４１】
本実施形態では、前方スライド部３１の摺動板部３４の形状は、第１の凹部６５の形状に一致していない。そのため、摺動板部３４は、第１の凹部６５に嵌入した状態とならず、傾斜面部３４Ｂが傾斜部６１に当接するのみとなる。そのため、第１の凹部６５によって、フィルタユニット１０の移動は十分に規制することはできない。ただし、後方スライド部３２は、第２の凹部４４に嵌入され、これら後方スライド部３２及び第２の凹部４４によって、フィルタユニット１０の移動は規制される。
【００４２】
なお、本実施形態では、傾斜部６３は省略され、レール板部６２は、終端部まで高さが一定であっても良い。この場合には、案内部の第１の凹部６５は、ベース面１３上のレール部材６０よりも奥側の部分６４のみで構成されることになる。
【符号の説明】
【００４３】
１０  フィルタユニット
１１  ケーシング
１２  流通口
１３  ベース面
１５  挿入口
２１  枠体
２３  ガスケット
３０  スライダ
３１、３２  前方及び後方スライド部
３４  摺動板部（第１の摺動部）
３８  摺動板部（第２の摺動部）
４０  レール部材
４３、６５  第１の凹部
４４  第２の凹部
【図１】
0005761852.tif 000002
【図２】
0005761852.tif 000003
【図３】
0005761852.tif 000004
【図４】
0005761852.tif 000005
【図５】
0005761852.tif 000006
【図６】
0005761852.tif 000007